(57)【要約】      （修正有）【課題】液化ガスのタンクによって液化ガスを保管容器に充填する際に、タンク内を加圧するために必要な時間を短縮する。【解決手段】圧力差によってタンク（１０）から保管容器（２）へと液化ガスを移送するステップと、移送ステップに先立って、保管容器（２）は、タンク（１０）の内部圧力よりも高い内部圧力を有し、移送ステップに先立って、タンク（１０）のために保管容器（２）中の圧力の下降を確実にするように、タンク（１０）と保管容器（２）を流体連通に置くステップと、加圧装置（３、６）を使用して、タンク（１０）中の圧力を増加させるステップとを備える。【選択図】図１
2020125847.tif 000002
【特許請求の範囲】
【請求項１】
液化ガスのタンク（１０）によって液化ガスを保管容器（２）に充填するための方法であって、
圧力差によって前記タンク（１０）から前記保管容器（２）へと液化ガスを移送する移送ステップと、ここで、前記保管容器（２）は、前記移送ステップの前には、前記タンク（１０）の内部圧力よりも高い内部圧力を有しており、
前記タンク（１０）のために前記保管容器（２）中の圧力の下降を確実にするように、前記移送ステップに先立って、圧力の均一化によって、前記タンク（１０）と前記保管容器（２）を流体連通に置くステップと、
加圧装置（３、６）を使用して、前記タンク（１０）中の圧力を増加させるステップと、を備える、方法。
【請求項２】
前記タンク（１０）と前記保管容器（２）との間のこの流体連通がさえぎられるステップの間、前記加圧装置（３、６）を介して、前記タンク１０中の圧力を増加させるステップは、前記タンク（１０）と前記保管容器（２）を流体連通に置くステップと同時に、及び／又は、前記タンク（１０）を流体連通に置くステップの後に、実行されることを特徴とする、請求項１に記載の方法。
【請求項３】
前記タンク（１０）と前記保管容器（２）を流体連通に置くステップは、前記タンク（１０）のために前記保管容器（２）の圧力を所定のレベルに下げ、前記保管容器（２）中の圧力は、前記タンク（１０）の圧力と等しい、又は、０．５から５バールの間の、とりわけ、０．５から１バールの間の所定の限定した値だけ、前記タンク（１０）の圧力を超えることを特徴とする、請求項１又は２に記載の方法。
【請求項４】
前記タンク（１０）中の圧力を増加させるステップは、前記タンク（１０）の圧力を所定のレベルまで増加させ、前記タンク（１０）中の圧力は、０．５から５バールの間の、とりわけ、１から２バールの間の所定の値だけ、前記保管容器（２）中の圧力を超えることを特徴とする、請求項１から３のうちのいずれか１項に記載の方法。
【請求項５】
前記タンク（１０）と前記保管容器（２）を流体連通に置くステップは、前記タンク（１０）の下部及び／又は上部に接続されている一端と前記保管容器（２）の下部及び／又は上部に接続されている別の端とを有する少なくとも１つの移送パイプ（８、９）を介して実行されることを特徴とする、請求項１から４のうちのいずれか１項に記載の方法。
【請求項６】
前記タンク（１０）と前記保管容器（２）を流体連通に置くステップは、前記タンク（１０）の上部に接続されている一端と前記保管容器（２）の上部に接続されている一端とを有する少なくとも１つの移送パイプ（９）を介して実行されることを特徴とする、請求項４に記載の方法。
【請求項７】
前記タンク（１０）を加圧するための前記加圧装置（３、６）は、タンク（１０）加圧回路（３）を備え、前記タンク（１０）加圧回路（３）は、前記タンク（１０）に接続されている流体吸引第１端（４）と前記タンク（１０）に接続されている流体リターン第２端（５）との間に、流体加熱部材（６）と、前記加圧回路（３）中の流体の循環を制御するための１つ以上の加熱弁（７、１９）のセットとを備えることを特徴とする、請求項１から６のうちのいずれか１項に記載の方法。
【請求項８】
圧力差を使用して、液化ガスを保管容器（２）移送するように意図されている、液化ガスのタンク（１０）を備える、液化ガス保管容器（２）を充填するための装置であって、
前記装置は、タンク（１０）加圧回路（３）を備え、前記タンク（１０）加圧回路（３）は、前記タンク（１０）に接続されている流体吸引第１端（４）と前記タンク（１０）に接続されている流体リターン第２端（５）との間に、流体加熱部材（６）と、前記加圧回路（３）中の流体の循環を制御するための１つ以上の加熱弁（７、１９）のセットとを備え、
前記装置は、前記タンク（１０）に接続されている第１端と前記液化ガス保管容器（２）に接続されるように意図されている第２端とを備える流体移送パイプ（８、９）であって、前記流体移送パイプ（８、９）中の流体の循環を制御するための１つ以上の移送弁（１１、１２、１３、１４、１５）のセットを備える少なくとも１つの流体移送パイプ（８、９）を備え、
前記装置は、前記タンク（１０）中の及び／又は前記液化ガス保管容器（２）中の圧力を測定するための１つ以上のセンサ（１６、１７）のセットを備える装置において、
前記装置は、前記タンクの上端に接続されている第１端と前記液化ガス保管容器（２）の上端に接続されるように意図されている別の端とを有する流体移送パイプ（９）を備えること、及び、弁のセットの少なくとも一部分を制御するように構成されている、電子制御及びデータ処理及び記憶部材（１８）を備えることを特徴とし、
前記電子制御及びデータ処理及び記憶部材（１８）は、前記液化ガス保管容器（２）中の圧力が前記タンク（１０）中の圧力よりも高いとき、前記タンク（１０）から前記保管容器（２）への流体の移送に先立って、前記液化ガス保管容器（２）と前記タンク（１０）との間の圧力を均一化することにより、圧力の移送を確実にするために、１つ以上の移送弁のセットの開放を実行し、
前記液化ガス保管容器（２）と前記タンク（１０）との間の圧力の移送の後に又は間に、前記タンク（１０）中の前記圧力を増加させるために、１つ以上の加熱弁のセットの開放を実行し、
その後、前記１つ以上の加熱弁のセットの閉鎖を、圧力差を使用して、前記タンク（１０）から前記保管容器（２）への液化ガスの移送を確実にするために、前記１つ以上の移送弁のセットの開放を実行するように構成されている、装置。
【発明の詳細な説明】
【技術分野】
【０００１】
本発明は、液化ガスを保管容器に充填するための方法及び装置に関する。
【０００２】
本発明は、より具体的には、液化ガスのタンクによって液化ガスを保管容器に充填する方法に関し、本方法は、圧力差によって、タンクから保管容器に液化ガスを移送するステップを備えており、この方法において、保管容器は、移送ステップより前に、タンクの内部圧力よりも高い内部圧力を有している。
【背景技術】
【０００３】
一般的に、液化水素は、圧力の差によって設備に送り出される。典型的に、充填されることになる保管容器は、３から１３バールの間の圧力であり、送出タンク中に含まれる液体は、０．３バールから１３バールの間の圧力である。
【０００４】
（ポンプを使用することなく）圧力差によってこの移送を達成するために、多くのケースでは、まず、充填されることになる固定された保管容器の圧力よりも典型的に１バールだけより高い圧力に、送出セミトレーラーのタンクを加圧することが必要である。
【０００５】
この加圧は、従来は、加圧ヒーターとして知られている装置を使用して実行された。冷液は、重力下でタンクから引き抜かれ、タンクの底に置かれた交換器、典型的には大気交換機中で蒸発される。したがって、装置は、低い位置にホットスポットを備えている。熱サイホン効果による流れが生じ、生成された熱ガスは、その後自然とタンクに戻る。これは、タンクを加圧させる。加圧するスピードは、典型的には熱交換器のサイズとパイプの直径に依存する。
【０００６】
しかしながら、この装置は欠点を有している。このように、加圧するために必要とされる時間は、比較的長いかもしれない。さらに、熱サイホン流の原動力は、液柱の先端、及び、液体と気体との間の密度差に依存することから、タンクが空又はほぼ空であるとき、この装置は機能しない。そのうえ、加圧は、達成するのにさらに長くかかる。さらに、この加圧は、設備に熱をもたらす。これは、結果として液化ガスの加熱となり、物流中での蒸発により、ガス損失の量を最終的に増加させる。
【０００７】
本発明の１つの目的は、先行技術の上述した不利益のうちのすべて又はそのいくつかを克服することである。
【発明の概要】
【０００８】
この目的のために、上記のプリアンブルにおけるその所定の包括的定義にしたがう他の点において、本発明にしたがう方法は、移送ステップに先立って、タンクのために保管容器中の圧力の下降を確実にするように、タンクと保管容器を流体連通に置くステップと、加圧装置を使用して、タンク中の圧力を増加させるステップとを備えているという点で本質的に特徴付けられる。
【０００９】
さらに、本発明の実施形態は、以下の特徴のうちの１つ以上を含むことができる：
−タンクと保管容器との間のこの流体連通がさえぎられるステップの間、加圧装置を介して、タンク中の圧力を増加させるステップは、タンクと保管容器を流体連通に置くステップと同時に、及び／又は、タンクを流体連通に置くステップの後に、実行される、
−タンクと保管容器を流体連通に置くステップは、タンクのために保管容器の圧力を決定したレベルに下げ、保管容器中の圧力は、タンクの圧力と等しい、又は、０．５から５バールの間の、とりわけ、０．５から１バールの間の所定の限定値だけ、タンクの圧力を超える、
−タンク中の圧力を増加させるステップは、タンク中の圧力を所定のレベルまで増加させ、タンク中の圧力は、０．５から５バールの間の、とりわけ、１から２バールの間の所定の値だけ、保管容器中の圧力を超える、
−タンクと保管容器を流体連通に置くステップは、タンクの下部及び／又は上部に接続されている一端と保管容器の下部及び／又は上部に接続されている別の端とを有する少なくとも１つの移送パイプを介して実行される、
−タンクと保管容器を流体連通に置くステップは、タンクの上部に接続されている一端と保管容器の上部に接続されている一端とを有する少なくとも１つの移送パイプを介して実行される、
−タンクを加圧するための装置は、タンク加圧回路を備え、タンク加圧回路は、タンクに接続されている流体吸引第１端とタンクに接続されている流体リターン第２端との間に、流体加熱部材と、加圧回路中の流体の循環を制御するための１つ以上の加熱弁のセットとを備える。
【００１０】
本発明は、圧力差によって、液化ガスを保管容器移送するように意図されている液化ガスのタンクを備える、液化ガス保管容器を充填するための装置にも関し、本装置は、タンク加圧回路を備え、タンク加圧回路は、タンクに接続されている流体吸引第１端とタンクに接続されている流体リターン第２端との間に、流体加熱部材と、加圧回路中の流体の循環を制御するための１つ以上の加熱弁のセットとを備え、本装置は、タンクに接続されている第１端と保管容器に接続されるように意図されている第２端とを有する少なくとも１つの流体移送パイプであって、移送パイプ中の流体の循環を制御するための１つ以上の移送弁のセットを有する少なくとも１つの流体移送パイプを備え、本装置は、タンク中の及び／又は保管容器中の圧力を測定するための１つ以上のセンサのセットを備え、本装置は、タンクの上端に接続されている第１端と保管容器の上端に接続されるように意図されている別の端とを有する流体移送パイプをさらに備えている。
【００１１】
他の可能性ある特定の特徴にしたがうと、本装置は、弁のセットの少なくとも一部分を制御するように構成されている、電子制御及びデータ処理及び記憶部材を備え、電子制御部材は、保管容器中の圧力がタンク中の圧力よりも高いとき、タンクから保管容器への流体の移送に先立って、保管容器とタンクとの間の圧力の移送を確実にするために、１つ以上の移送弁のセットの開放を実行し、保管容器とタンクとの間の圧力の移送の後に又は間に、タンク中の圧力を増加させるために、１つ以上の加熱弁のセットの開放を実行し、その後、１つ以上の加熱弁のセットの閉鎖を、圧力差によって、タンクから保管容器への液化ガスの移送を確実にするために、前記１つ以上の移送弁のセットの開放を実行するように構成されている。
【００１２】
本発明は、特許請求の範囲内の上記又は下記特徴の任意の組合せを備える、任意の代替装置又は方法に関することもできる。
【００１３】
他の異なる特徴及び利点は、図を参照して下記説明を読むと明らかになるであろう。
【図面の簡単な説明】
【００１４】
【図１】図１は、本発明にしたがう装置の構造と動作の一例を図示した概略及び部分図である。
【発明を実施するための形態】
【００１５】
［図１］中に描写されている設備１は、液化ガス保管容器２に充填するための装置を備えている。保管容器２は、例えば、液化水素を含む、固定された、断熱二重壁真空保管容器である。
【００１６】
設備１は、例えば、セミトレーラーによって運ばれ、圧力差によって液化ガスを保管容器２に移送するように意図されている、液化ガス（例えば、液化水素）のタンク１０を備えている。
【００１７】
タンク１０は、加圧ヒーター、すなわち、上記で言及したようなタンク１０を加圧するための回路３を備えている。この加圧回路３は、タンク１０（とりわけ底部）に接続されている流体吸引第１端４とタンク１０（とりわけ最上部）に接続されている流体リターン第２端５との間に、流体加熱部材６（底部中に位置付けられている大気熱交換器又はこれに類するもの）と１つ以上の加熱弁７、１９のセットとを備えている。例えば、加圧回路３は、（熱サイホン効果によって）前記加圧回路３中の流体の循環を制御するための、好ましくは、制御される又は自動の加熱弁７と、（好ましくは手動で制御される）遮断弁１９とを備えている。
【００１８】
装置１は、少なくとも１つの流体移送パイプ（この例では、２つのパイプ、８、９）をさらに備え、それぞれは、タンク１０に接続されている第１の端と保管容器２に接続されるように意図されている少なくとも１つの第２の端とを備えている。移送パイプ８、９は、適切な回路によって保管容器２の下端及び／又は上端に並行して接続されてもよい。
【００１９】
装置、とりわけ各移送パイプ８、９は、移送パイプ８、９中の流体の循環を制御するための移送弁１１、１２、１３、１４、１５のセットを備えている。例えば、タンク１０の下端に接続されている第１の移送パイプ８は、それぞれが自動安全遮断弁と手動動作遮断弁からなってもよい直列の２つの弁１１を備えている。
【００２０】
同様に、（タンク１０の最上部に接続されている）第２の移送パイプ９は、それぞれが例えば自動安全遮断弁と手動動作遮断弁からなってもよい直列の２つの弁１５を備えていてもよい。
【００２１】
各移送パイプ８、９は、それが保管容器の上端と及び／又は下端と通じることを可能にする、保管容器２の回路に接続されることになる柔軟な端を有していてもよい。保管容器の回路は、制御されてもよい弁１２、１３、１４のセット、又は、手動で動作する弁を有利に備えていてもよい。タンク１０と保管容器２は、従来の換気／保護弁装置を備えていてもよい。
【００２２】
したがって、送出オペレータは、移動型タンク１０の移送パイプ８、９を保管容器２の回路に接続してもよい。保管容器２中の圧力がタンク１０中の圧力よりも高く、圧力差による移送を阻む場合、タンク１０の及び保管容器１０の圧力を均一化するために、オペレータは、（タンク１０の及び保管容器２の上部に通じて配置されている）弁１４及び１５、並びに／あるいは、（タンク１０の及び保管容器２の下部に通じて配置されている）弁１３及び１１を開いてもよい。別の非限定的オプションにしたがうと、オペレータは、（保管容器２の上部に接続する）弁１４を開き、（弁１５を開くことにより）タンクの上部に接続されているライン９、及び／又は、（弁１１及び１３を開くことにより）タンクの下部に接続されているライン８を使用してもよい。
【００２３】
タンク１０内の圧力が保管容器の圧力に達する又は近づく（例えば、５バール以下の圧力差、及び、とりわけ例えば０．５から１バール間の差）とき、移送弁１１、１５を閉じることができる。
【００２４】
その後、オペレータは、加熱ループをアクティブ化させることにより、タンク１０中の圧力を増加させるために、加熱弁７、１９を開くことができる。
【００２５】
タンク１０内の圧力が保管容器２の圧力を（例えば、０．５から５バールだけ、とりわけ１から２バールだけ）十分に超えるとき、加熱弁７、１９を閉じることができる。圧力差によって保管容器を充填することを可能にするために、移送弁１１、１５、１２、１３、１４のうちのすべて又はいくつかを、その後、開くことができる。この充填は、保管容器中の圧力を増加させるために、（開いた弁１３に対応する）底部から、及び／又は、保管容器２中の圧力を減少させるために、（開いた弁１４に対応する）最上部から、保管容器２に供給することにあってもよい。
【００２６】
有利なことに、（加熱ループをアクティブ化する）タンク１０中の圧力の増加は、（弁１１、１５並びに１４及び／又は１３が開いた）タンク１０中と保管容器２中の圧力の均一化の動作の間でさえ開始できることに留意すべきである。これは、タンク１０の加圧をさらに加速させることを可能にする。
【００２７】
タンク１０及び／又は保管容器２は、１つ以上の圧力測定センサ１６、１７のセットを備えていてもよい。
【００２８】
設備（例えば、移動型タンク１０又は外部制御ユニット）は、弁のすべて又はいくつかを制御するように構成されている電子制御及びデータ処理及び記憶部材１８を備えていてもよい。この電子制御部材１８は、マイクロプロセッサ、コンピュータ、又は、他の何らかの適切な装置を備えていてもよい。
【００２９】
この制御部材１８は、装置の弁又は他のコンポーネントのすべてまたいくつかを制御してもよく、とりわけ充填又は停止するための命令とともに、前述の圧力測定を受け取ってもよい。
【００３０】
この制御部材１８は、上記で説明した手動動作のすべて又はいくつかを自動化又は制御してもよい。
【００３１】
したがって、充填タンク１０が同じように充填するために保管容器２に接続されるようになり、保管容器２中の圧力がタンク１０中の圧力よりも高いとき、タンク１０から保管容器２への流体の移送より前に、保管容器２とタンク１０との間の圧力の移送を確実にするために、制御部材１８は、１つ以上の移送弁１１、１５及び１４のセットの開放を実行するように構成されてもよい。
【００３２】
すでに述べたように、この目的は、タンク１０のために保管容器中の圧力を下げることである。
【００３３】
決定した圧力の均一化が達成されるとき、保管容器２とタンク１０を分離するために、これらの弁は再度閉じられる。この構成では（又は、この圧力移送の終了前でも）、タンク１０の加圧をアクティブ化できる（上記で説明したように、タンク１０中の圧力を増加させるために、加熱弁７、１９のセットを開く）。
【００３４】
タンク１０中の圧力が保管容器２中の圧力を上回る十分な値に達するとき、加圧は中断されることができ、圧力差によるタンクから保管容器への液体の移送を実行できる。
【００３５】
したがって、本方法及び装置は、送出タンク１０をより迅速に加圧するために、保管容器２中の圧力を使用することを可能にする。あるケースでは、推定される時間節約は、送出毎に多くて３０分から、いくつかの連続する送出のケースでは、とりわけ２時間に達するかもしれない。
【００３６】
したがって、タンク１０は、比較的冷たいガスで加圧される。したがって、タンク１０へのエネルギー追加は、限定的である。
【図１】
2020125847.tif 000003
【外国語明細書】
2020125847000001.pdf